(57)【要約】      （修正有）【課題】ケーブル間の信号の干渉を低減し伝送特性に優れたＬＡＮケーブルを提供する。【解決手段】ＬＡＮケーブル８０ａは、第１〜第４のツイストペアケーブル５０ａ〜５０ｄを個別もしくは２本まとめて１本の信号ケーブルとする。第１の形態のＬＡＮケーブルではケーブル部分が２分割に、第２の形態のＬＡＮケーブルでは３分割に、第３の形態のＬＡＮケーブルでは４分割となる。ケーブルを２〜４分割して、それぞれ独立した分割構造を採用することで、導体間の干渉を完全に防ぐことが可能となり、飛躍的な伝送特性の向上を図ることができる。【選択図】図１
0003230858.tif 000002
【実用新案登録請求の範囲】
【請求項１】
１ピン端子から８ピン端子を備えケーブルの両端に固定したＬＡＮコネクタと、
一端が少なくとも片側の前記ＬＡＮコネクタの１ピン端子及び２ピン端子と接続した第１のツイストペアケーブルと、一端が少なくとも前記片側のＬＡＮコネクタの３ピン端子及び６ピン端子と接続した第２のツイストペアケーブルと、一端が少なくとも前記片側のＬＡＮコネクタの４ピン端子及び５ピン端子と接続した第３のツイストペアケーブルと、一端が少なくとも前記片側のＬＡＮコネクタの７ピン端子及び８ピン端子と接続した第４のツイストペアケーブルと、を有するストレートもしくはクロスのＬＡＮケーブルにおいて、
前記第１のツイストペアケーブルと第２のツイストペアケーブルとをまとめて１本の信号ケーブルとし、前記第３のツイストペアケーブルと第４のツイストペアケーブルとをまとめてもう１本の信号ケーブルとして、前記２本の信号ケーブルの両端に前記ＬＡＮコネクタを接続したことを特徴とするＬＡＮケーブル。
【請求項２】
１ピン端子から８ピン端子を備えケーブルの両端に固定したＬＡＮコネクタと、
一端が少なくとも片側の前記ＬＡＮコネクタの１ピン端子及び２ピン端子と接続した第１のツイストペアケーブルと、一端が少なくとも前記片側のＬＡＮコネクタの３ピン端子及び６ピン端子と接続した第２のツイストペアケーブルと、一端が少なくとも前記片側のＬＡＮコネクタの４ピン端子及び５ピン端子と接続した第３のツイストペアケーブルと、一端が少なくとも前記片側のＬＡＮコネクタの７ピン端子及び８ピン端子と接続した第４のツイストペアケーブルと、を有するストレートもしくはクロスのＬＡＮケーブルにおいて、
前記第１のツイストペアケーブルと第２のツイストペアケーブルとを個別に２本の信号ケーブルとし、前記第３のツイストペアケーブルと第４のツイストペアケーブルとをまとめて1本の信号ケーブルとして、前記３本の信号ケーブルの両端に前記ＬＡＮコネクタを接続したことを特徴とするＬＡＮケーブル。
【請求項３】
１ピン端子から８ピン端子を備えケーブルの両端に固定したＬＡＮコネクタと、
一端が少なくとも片側の前記ＬＡＮコネクタの１ピン端子及び２ピン端子と接続した第１のツイストペアケーブルと、一端が少なくとも前記片側のＬＡＮコネクタの３ピン端子及び６ピン端子と接続した第２のツイストペアケーブルと、一端が少なくとも前記片側のＬＡＮコネクタの４ピン端子及び５ピン端子と接続した第３のツイストペアケーブルと、一端が少なくとも前記片側のＬＡＮコネクタの７ピン端子及び８ピン端子と接続した第４のツイストペアケーブルと、を有するストレートもしくはクロスのＬＡＮケーブルにおいて、
前記第１のツイストペアケーブルと第２のツイストペアケーブルと第３のツイストペアケーブルと第４のツイストペアケーブルとを個別に４本の信号ケーブルとして、前記４本の信号ケーブルの両端に前記ＬＡＮコネクタを接続したことを特徴とするＬＡＮケーブル。
【考案の詳細な説明】
【技術分野】
【０００１】
本考案は、ケーブル間での干渉を低減し伝送特性を向上したＬＡＮケーブルに関するものである。
【背景技術】
【０００２】
従来からパーソナルコンピュータや周辺機器、ローカルネットワーク内での情報伝達ケーブルとしてＬＡＮ（Ｌｏｃａｌ  Ａｒｅａ  Ｎｅｔｗｏｒｋ）ケーブルが広く用いられている。そして、このＬＡＮケーブルは通常２芯のツイストペアケーブルが４本で構成され、合計８芯のケーブルとなっている。また、ＬＡＮケーブルは複数のカテゴリに分類されており、カテゴリが上がる程、伝送周波数の高周波化による通信速度の高速化が図られている。しかしながら、伝送周波数が高周波化するとケーブル間での信号の干渉等の問題が発生するため、特に高カテゴリのＬＡＮケーブルではこれら干渉やノイズに対する様々な対策が施されている。例えば、カテゴリ７のＬＡＮケーブルでは各ツイストペアケーブルを個別にホイル状のシールドで覆い、互いの信号伝達における干渉を低減して高周波伝送の劣化を抑制している。また、これに関連して、例えば下記［特許文献１］には安価で伝送特性に優れたＬＡＮケーブルに関する発明が開示されている。
【先行技術文献】
【特許文献】
【０００３】
【特許文献１】特開平１１−２８３４４９号公報
【考案の概要】
【考案が解決しようとする課題】
【０００４】
しかしながら、如何に干渉対策を施したとしても、１本のケーブル内に４組８芯の導体が存在している限り、互いの干渉を防止するには限界があり、更なる改善が望まれる。
【０００５】
本考案は上記事情に鑑みてなされたものであり、ケーブル間の信号の干渉を低減し伝送特性に優れたＬＡＮケーブルの提供を目的とする。
【課題を解決するための手段】
【０００６】
本考案は、
（１）１ピン端子Ｐ１から８ピン端子Ｐ８を備えケーブルの両端に固定したＬＡＮコネクタ２０と、一端が少なくとも片側の前記ＬＡＮコネクタ２０の１ピン端子Ｐ１及び２ピン端子Ｐ２と接続した第１のツイストペアケーブル５０ａと、一端が少なくとも前記片側のＬＡＮコネクタ２０の３ピン端子Ｐ３及び６ピン端子Ｐ６と接続した第２のツイストペアケーブル５０ｂと、一端が少なくとも前記片側のＬＡＮコネクタ２０の４ピン端子Ｐ４及び５ピン端子Ｐ５と接続した第３のツイストペアケーブル５０ｃと、一端が少なくとも前記片側のＬＡＮコネクタ２０の７ピン端子Ｐ７及び８ピン端子Ｐ８と接続した第４のツイストペアケーブル５０ｄと、を有するストレートもしくはクロスのＬＡＮケーブルにおいて、前記第１のツイストペアケーブル５０ａと第２のツイストペアケーブル５０ｂとをまとめて１本の信号ケーブル３０ａとし、前記第３のツイストペアケーブル５０ｃと第４のツイストペアケーブル５０ｄとをまとめてもう１本の信号ケーブル３０ｂとして、前記２本の信号ケーブル３０ａ、３０ｂの両端に前記ＬＡＮコネクタ２０を接続したことを特徴とするＬＡＮケーブル８０ａを提供することにより、上記課題を解決する。
（２）１ピン端子Ｐ１から８ピン端子Ｐ８を備えケーブルの両端に固定したＬＡＮコネクタ２０と、一端が少なくとも片側の前記ＬＡＮコネクタ２０の１ピン端子Ｐ１及び２ピン端子Ｐ２と接続した第１のツイストペアケーブル５０ａと、一端が少なくとも前記片側のＬＡＮコネクタ２０の３ピン端子Ｐ３及び６ピン端子Ｐ６と接続した第２のツイストペアケーブル５０ｂと、一端が少なくとも前記片側のＬＡＮコネクタ２０の４ピン端子Ｐ４及び５ピン端子Ｐ５と接続した第３のツイストペアケーブル５０ｃと、一端が少なくとも前記片側のＬＡＮコネクタ２０の７ピン端子Ｐ７及び８ピン端子Ｐ８と接続した第４のツイストペアケーブル５０ｄと、を有するストレートもしくはクロスのＬＡＮケーブルにおいて、前記第１のツイストペアケーブル５０ａと第２のツイストペアケーブル５０ｂとを個別に２本の信号ケーブル３２ａ、３２ｂとし、前記第３のツイストペアケーブル５０ｃと第４のツイストペアケーブル５０ｄとをまとめて１本の信号ケーブル３２ｃとして、前記３本の信号ケーブル３２ａ、３２ｂ、３２ｃの両端に前記ＬＡＮコネクタ２０を接続したことを特徴とするＬＡＮケーブル８０ｂを提供することにより、上記課題を解決する。
（３）１ピン端子Ｐ１から８ピン端子Ｐ８を備えケーブルの両端に固定したＬＡＮコネクタ２０と、一端が少なくとも片側の前記ＬＡＮコネクタ２０の１ピン端子Ｐ１及び２ピン端子Ｐ２と接続した第１のツイストペアケーブル５０ａと、一端が少なくとも前記片側のＬＡＮコネクタ２０の３ピン端子Ｐ３及び６ピン端子Ｐ６と接続した第２のツイストペアケーブル５０ｂと、一端が少なくとも前記片側のＬＡＮコネクタ２０の４ピン端子Ｐ４及び５ピン端子Ｐ５と接続した第３のツイストペアケーブル５０ｃと、一端が少なくとも前記片側のＬＡＮコネクタ２０の７ピン端子Ｐ７及び８ピン端子Ｐ８と接続した第４のツイストペアケーブル５０ｄと、を有するストレートもしくはクロスのＬＡＮケーブルにおいて、前記第１のツイストペアケーブル５０ａと第２のツイストペアケーブル５０ｂと第３のツイストペアケーブル５０ｃと第４のツイストペアケーブル５０ｄとを個別に４本の信号ケーブル３４ａ、３４ｂ、３４ｃ、３４ｄとして、前記４本の信号ケーブル３４ａ、３４ｂ、３４ｃ、３４ｄの両端に前記ＬＡＮコネクタ２０を接続したことを特徴とするＬＡＮケーブル８０ｃを提供することにより、上記課題を解決する。
【考案の効果】
【０００７】
本考案に係るＬＡＮケーブルはケーブルを２分割〜４分割して、それぞれ独立した分割構造を採用することで、導体間の干渉を防ぐことが可能となる。これにより、本考案に係るＬＡＮケーブルは、飛躍的な伝送特性の向上を図ることができる。
【図面の簡単な説明】
【０００８】
【図１】本考案に係る第１の形態のＬＡＮケーブルを示す図である。
【図２】本考案に係る第２の形態のＬＡＮケーブルを示す図である。
【図３】本考案に係る第３の形態のＬＡＮケーブルを示す図である。
【考案を実施するための形態】
【０００９】
本考案に係るＬＡＮケーブルの実施の形態について図面に基づいて説明する。ここで、図１（ａ）は本考案に係る第１の形態のＬＡＮケーブル８０ａの外観図であり、また図１（ｂ）、図１（ｃ）は第１の形態のＬＡＮケーブル８０ａのケーブルとＬＡＮコネクタ２０との接続構成を説明する図である。また、図２（ａ）は本考案に係る第２の形態のＬＡＮケーブル８０ｂの外観図であり、図２（ｂ）、図２（ｃ）はＬＡＮケーブル８０ｂのケーブルとＬＡＮコネクタ２０との接続構成を説明する図である。また、図３（ａ）は本考案に係る第３の形態のＬＡＮケーブル８０ｃの外観図であり、図３（ｂ）、図３（ｃ）はＬＡＮケーブル８０ｃのケーブルとＬＡＮコネクタ２０との接続構成を説明する図である。尚、図１（ｂ）、図２（ｂ）、図３（ｂ）がストレートタイプのＬＡＮケーブル８０の接続構成を説明する図であり、図１（ｃ）、図２（ｃ）、図３（ｃ）がクロスタイプのＬＡＮケーブル８０の接続構成を説明する図である。
【００１０】
先ず、本考案に係る第１〜第３の形態のＬＡＮケーブル８０ａ〜８０ｃは、１ピン端子Ｐ１から８ピン端子Ｐ８を備えＬＡＮケーブル８０ａ〜８０ｃの両端に固定したＬＡＮコネクタ２０と、一端が少なくとも片側のＬＡＮコネクタ２０の１ピン端子Ｐ１及び２ピン端子Ｐ２と接続した第１のツイストペアケーブル５０ａと、一端が少なくとも片側のＬＡＮコネクタ２０の３ピン端子Ｐ３及び６ピン端子Ｐ６と接続した第２のツイストペアケーブル５０ｂと、一端が少なくとも片側のＬＡＮコネクタ２０の４ピン端子Ｐ４及び５ピン端子Ｐ５と接続した第３のツイストペアケーブル５０ｃと、一端が少なくとも片側のＬＡＮコネクタ２０の７ピン端子Ｐ７及び８ピン端子Ｐ８と接続した第４のツイストペアケーブル５０ｄと、を有している。尚、ここでのツイストペアケーブルとはＬＡＮケーブルで一般的に使用されている被覆導体（電線）を２本対として撚り合わせたケーブルであり、単純な平行線よりノイズの影響を受けにくいとされている。また、本考案を構成する第１〜第４のツイストペアケーブル５０ａ〜５０ｄはノイズや干渉対策として、合成樹脂製の被覆の外側をさらに金属のホイル状のシールドで覆ったものを用いることが好ましい。
【００１１】
尚、図１（ｂ）、図２（ｂ）、図３（ｂ）に示すストレートタイプのＬＡＮケーブル８０ａ〜８０ｃでは第１〜第４のツイストペアケーブル５０ａ〜５０ｄの各導体は単純に同じ番号のピン端子同士を接続する。また、図１（ｃ）、図２（ｃ）、図３（ｃ）に示すクロスタイプのＬＡＮケーブル８０ａ〜８０ｃでは、第１のツイストペアケーブル５０ａが一端（本例では図中左側）のＬＡＮコネクタ２０の１ピン端子Ｐ１、２ピン端子Ｐ２と他端（本例では図中右側）のＬＡＮコネクタ２０の３ピン端子Ｐ３、６ピン端子Ｐ６とをそれぞれ接続し、第２のツイストペアケーブル５０ｂが一端のＬＡＮコネクタ２０の３ピン端子Ｐ３、６ピン端子Ｐ６と他端のＬＡＮコネクタ２０の１ピン端子Ｐ１、２ピン端子Ｐ２とをそれぞれ接続する。また、第３、第４のツイストペアケーブル５０ｃ、５０ｄは双方のＬＡＮコネクタ２０の同じ番号のピン端子同士を接続する。尚、伝送方式が１０００ＢＡＳＥ−Ｔのフルクロス結線仕様のＬＡＮケーブル８０ａ〜８０ｃ（図示せず）では、上記のクロスタイプの第１のツイストペアケーブル５０ａ、第２のツイストペアケーブル５０ｂに加え、第３のツイストペアケーブル５０ｃが一端のＬＡＮコネクタ２０の４ピン端子Ｐ４、５ピン端子Ｐ５と他端のＬＡＮコネクタ２０の７ピン端子Ｐ７、８ピン端子Ｐ８とをそれぞれ接続し、第４のツイストペアケーブル５０ｄが一端のＬＡＮコネクタ２０の７ピン端子Ｐ７、８ピン端子Ｐ８と他端のＬＡＮコネクタ２０の４ピン端子Ｐ４、５ピン端子Ｐ５とをそれぞれ接続する。
【００１２】
そして、図１に示す本考案に係る第１の形態のＬＡＮケーブル８０ａは、第１のツイストペアケーブル５０ａと第２のツイストペアケーブル５０ｂとをまとめて１本の信号ケーブル３０ａとし、また第３のツイストペアケーブル５０ｃと第４のツイストペアケーブル５０ｄとをまとめてもう１本の信号ケーブル３０ｂとして、これら２本の信号ケーブル３０ａ、３０ｂの両端にＬＡＮコネクタ２０を接続して構成する。
【００１３】
また、図２に示す本考案に係る第２の形態のＬＡＮケーブル８０ｂは、第１のツイストペアケーブル５０ａと第２のツイストペアケーブル５０ｂとを個別に２本の信号ケーブル３２ａ、３２ｂとし、第３のツイストペアケーブル５０ｃと第４のツイストペアケーブル５０ｄとをまとめて1本の信号ケーブル３２ｃとして、これら３本の信号ケーブル３２ａ〜３２ｃの両端にＬＡＮコネクタ２０を接続して構成する。
【００１４】
また、図３に示す本考案に係る第３の形態のＬＡＮケーブル８０ｃは、第１のツイストペアケーブル５０ａと第２のツイストペアケーブル５０ｂと第３のツイストペアケーブル５０ｃと第４のツイストペアケーブル５０ｄとを個別に４本の信号ケーブル３４ａ〜３４ｄとして、これら４本の信号ケーブル３４ａ〜３４ｄの両端にＬＡＮコネクタ２０を接続して構成する。
【００１５】
尚、特に1本の信号ケーブル内に２本のツイストペアケーブルを内蔵している信号ケーブル３０ａ、３０ｂ、３２ｃでは２本のツイストペアケーブルをまとめて金属のホイル状もしくは網状のシールドで覆って更なるノイズ対策を施しても良い。
【００１６】
上記のように、本考案に係るＬＡＮケーブル８０ａ〜８０ｃは、第１〜第４のツイストペアケーブル５０ａ〜５０ｄを個別もしくは２本まとめて１本の信号ケーブルとする。従って、本考案に係る第１の形態のＬＡＮケーブル８０ａではケーブル部分が２分割に、第２の形態のＬＡＮケーブル８０ｂではケーブル部分が３分割に、第３の形態のＬＡＮケーブル８０ｃではケーブル部分が４分割となる。このように、本考案に係るＬＡＮケーブル８０ａ〜８０ｃは、ケーブルを２分割〜４分割して、それぞれ独立した分割構造を採用することで、導体間の干渉を完全に防ぐことが可能となる。これにより、本考案に係るＬＡＮケーブル８０ａ〜８０ｃは、飛躍的な伝送特性の向上を図ることができる。
【００１７】
尚、上記に示した本考案に係るＬＡＮケーブル８０ａ、８０ｂ、８０ｃは上記の例に限定されるわけでは無く、本考案は本考案の要旨を逸脱しない範囲で変更して実施することが可能である。
【符号の説明】
【００１８】
２０    ＬＡＮコネクタ
５０ａ  第１のツイストペアケーブル
５０ｂ  第２のツイストペアケーブル
５０ｃ  第３のツイストペアケーブル
５０ｄ  第４のツイストペアケーブル
３０ａ、３０ｂ  信号ケーブル（第１の形態）
３２ａ、３２ｂ、３２ｃ  信号ケーブル（第２の形態）
３４ａ、３４ｂ、３４ｃ、３４ｄ  信号ケーブル（第３の形態）
８０ａ、８０ｂ、８０ｃ  ＬＡＮケーブル
Ｐ１〜Ｐ８  １ピン端子〜８ピン端子
【図１】
0003230858.tif 000003
【図２】
0003230858.tif 000004
【図３】
0003230858.tif 000005